(57)【要約】【課題】基板への内蔵が容易であり且つ低ＥＳＬ化が図られた積層コンデンサを提供すること。【解決手段】第一端子電極５は、第一側面２ｃ配置され且つ複数の第一内部電極に接続される電極部分５ｂと、第一主面２ａに配置され且つ素体２の幅方向に延びる電極部分５ａと、を有する。第二端子電極６は、第一側面２ｃに配置され且つ複数の第二内部電極に接続される電極部分６ｂと、第一主面２ａに配置され且つ上記幅方向に延びる電極部分６ａと、を有する。第三端子電極７は、第二側面２ｄに配置され且つ複数の第一内部電極に接続される電極部分７ｂと、第一主面２ａに配置され且つ上記幅方向に延びる電極部分７ａと、を有する。第四端子電極８は、第二側面２ｄに配置され且つ複数の第二内部電極に接続される電極部分８ｂと、第一主面２ａに配置され且つ上記幅方向に延びる電極部分８ａと、を有する。【選択図】図１
2014220378.tif 000002
【特許請求の範囲】
【請求項１】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に交互に配置された、それぞれ複数の第一及び第二内部電極と、
前記素体の外表面に配置され、前記複数の第一内部電極と接続される第一及び第三端子電極と、
前記素体の外表面に配置され、前記複数の第二内部電極と接続される第二及び第四端子電極と、を備え、
前記複数の第一内部電極は、第一主電極部と、前記第一主電極部から延びて前記第一側面に露出する第一引出部と、前記第一主電極部から延びて前記第二側面に露出する第二引出部と、を有し、
前記複数の第二内部電極は、前記第一主電極部と前記高さ方向で対向する第二主電極部と、前記第二主電極部から延びて前記第一側面に露出する第三引出部と、前記第二主電極部から延びて前記第二側面に露出する第四引出部と、を有し、
前記第一端子電極は、前記第一側面に配置され且つ前記複数の第一内部電極の前記第一引出部に接続される電極部分と、前記第一主面に配置され且つ前記第一側面側から前記第二側面側に向かって延びる電極部分と、を有し、
前記第二端子電極は、前記第一側面に配置され且つ前記複数の第二内部電極の前記第三引出部に接続される電極部分と、前記第一主面に配置され且つ前記第一側面側から前記第二側面側に向かって延びる電極部分と、を有し、
前記第三端子電極は、前記第二側面に配置され且つ前記複数の第一内部電極の前記第二引出部に接続される電極部分と、前記第一主面に配置され且つ前記第二側面側から前記第一側面側に向かって延びる電極部分と、を有し、
前記第四端子電極は、前記第二側面に配置され且つ前記複数の第二内部電極の前記第四引出部に接続される電極部分と、前記第一主面に配置され且つ前記第二側面側から前記第一側面側に向かって延びる電極部分と、を有していることを特徴とする積層コンデンサ。
【請求項２】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に配置された第一及び第二内部電極と、
前記高さ方向で互いに対向するように前記素体内に配置された第三及び第四内部電極と、
前記素体の外表面に配置され、前記第一内部電極と接続される第一端子電極と、
前記素体の外表面に配置され、前記第二内部電極と接続される第二端子電極と、
前記素体の外表面に配置され、前記第三内部電極と接続される第三端子電極と、
前記素体の外表面に配置され、前記第四内部電極と接続される第四端子電極と、を備え、
前記第一内部電極は、主電極部と、該主電極部から延びて前記第一側面に露出する引出部と、を有し、
前記第二内部電極は、前記第一内部電極の前記主電極部と前記高さ方向で対向する主電極部と、該主電極部から延びて前記第一側面に露出する引出部と、を有し、
前記第三内部電極は、前記高さ方向から見て前記第一及び第二内部電極の前記主電極部と重なるように位置する主電極部と、該主電極部から延びて前記第二側面に露出する引出部と、を有し、
前記第四内部電極は、前記第三内部電極の前記主電極部と前記高さ方向で対向する主電極部と、該主電極部から延びて前記第二側面に露出する引出部と、を有し、
前記第一端子電極は、前記第一側面に配置され且つ前記第一内部電極の前記引出部に接続される電極部分と、前記第一主面に配置され且つ前記第一側面側から前記第二側面側に向かって延びる電極部分と、を有し、
前記第二端子電極は、前記第一側面に配置され且つ前記第二内部電極の前記引出部に接続される電極部分と、前記第一主面に配置され且つ前記第一側面側から前記第二側面側に向かって延びる電極部分と、を有し、
前記第三端子電極は、前記第二側面に配置され且つ前記第三内部電極の前記引出部に接続される電極部分と、前記第一主面に配置され且つ前記第二側面側から前記第一側面側に向かって延びる電極部分と、を有し、
前記第四端子電極は、前記第二側面に配置され且つ前記第四内部電極の前記引出部に接続される電極部分と、前記第一主面に配置され且つ前記第二側面側から前記第一側面側に向かって延びる電極部分と、を有していることを特徴とする積層コンデンサ。
【請求項３】
前記第一及び第四端子電極の、前記第一主面に配置された前記電極部分は、前記第一主面において前記長手方向に並んで位置し、
前記第二及び第三端子電極の、前記第一主面に配置された前記電極部分は、前記第一主面において前記長手方向に並んで位置し、
前記第一又は四端子電極と前記第二端子電極との、前記第一主面に配置された前記電極部分同士は、前記長手方向で隣り合っていることを特徴とする請求項１又は２に記載の積層コンデンサ。
【請求項４】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に交互に配置された、それぞれ複数の第一及び第二内部電極と、
前記素体の外表面に配置され、前記複数の第一内部電極と接続される第一及び第三端子電極と、
前記素体の外表面に配置され、前記複数の第二内部電極と接続される第二及び第四端子電極と、を備え、
前記複数の第一内部電極は、第一主電極部と、前記第一主電極部から延びて前記第一側面に露出する第一引出部と、前記第一主電極部から延びて前記第二側面に露出する第二引出部と、を有し、
前記複数の第二内部電極は、前記第一主電極部と前記高さ方向で対向する第二主電極部と、前記第二主電極部から延びて前記第一側面に露出する第三引出部と、前記第二主電極部から延びて前記第二側面に露出する第四引出部と、を有し、
前記第一端子電極は、前記第一側面に配置され且つ前記複数の第一内部電極の前記第一引出部に接続される電極部分と、前記第一主面に配置され且つ前記第一側面側から前記第二側面側に向かって延びる電極部分と、を有し、
前記第二端子電極は、前記第一側面に配置され且つ前記複数の第二内部電極の前記第三引出部に接続される電極部分と、前記第一又は第二主面に配置され且つ前記第一側面側から前記第二側面側に向かって延びる電極部分と、を有し、
前記第三端子電極は、前記第二側面に配置され且つ前記複数の第一内部電極の前記第二引出部に接続される電極部分と、前記第一及び第二主面のうち前記第二端子電極が配置されていない主面に配置され且つ前記第二側面側から前記第一側面側に向かって延びる電極部分と、を有し、
前記第四端子電極は、前記第二側面に配置され且つ前記複数の第二内部電極の前記第四引出部に接続される電極部分と、前記第二主面に配置され且つ前記第二側面側から前記第一側面側に向かって延びる電極部分と、を有していることを特徴とする積層コンデンサ。
【請求項５】
長手方向の長さ及び幅方向の長さに比して高さ方向の長さが小さい略直方体形状を呈すると共に、前記高さ方向で互いに対向する第一及び第二主面と、前記第一及び第二主面を連結するように前記高さ方向に延び且つ前記幅方向で互いに対向する第一及び第二側面と、前記第一及び第二主面を連結するように前記高さ方向に延び且つ前記長手方向で互いに対向する第三及び第四側面と、を有する素体と、
前記高さ方向で互いに対向するように前記素体内に配置された第一及び第二内部電極と、
前記高さ方向で互いに対向するように前記素体内に配置された第三及び第四内部電極と、
前記素体の外表面に配置され、前記第一内部電極と接続される第一端子電極と、
前記素体の外表面に配置され、前記第二内部電極と接続される第二端子電極と、
前記素体の外表面に配置され、前記第三内部電極と接続される第三端子電極と、
前記素体の外表面に配置され、前記第四内部電極と接続される第四端子電極と、を備え、
前記第一内部電極は、主電極部と、該主電極部から延びて前記第一側面に露出する引出部と、を有し、
前記第二内部電極は、前記第一内部電極の前記主電極部と前記高さ方向で対向する主電極部と、該主電極部から延びて前記第一側面に露出する引出部と、を有し、
前記第三内部電極は、前記高さ方向から見て前記第一及び第二内部電極の前記主電極部と重なるように位置する主電極部と、該主電極部から延びて前記第二側面に露出する引出部と、を有し、
前記第四内部電極は、前記第三内部電極の前記主電極部と前記高さ方向で対向する主電極部と、該主電極部から延びて前記第二側面に露出する引出部と、を有し、
前記第一端子電極は、前記第一側面に配置され且つ前記第一内部電極の前記引出部に接続される電極部分と、前記第一主面に配置され且つ前記第一側面側から前記第二側面側に向かって延びる電極部分と、を有し、
前記第二端子電極は、前記第一側面に配置され且つ前記第二内部電極の前記引出部に接続される電極部分と、前記第一又は第二主面に配置され且つ前記第一側面側から前記第二側面側に向かって延びる電極部分と、を有し、
前記第三端子電極は、前記第二側面に配置され且つ前記第三内部電極の前記引出部に接続される電極部分と、前記第一及び第二主面のうち前記第二端子電極が配置されていない主面に配置され且つ前記第二側面側から前記第一側面側に向かって延びる電極部分と、を有し、
前記第四端子電極は、前記第二側面に配置され且つ前記第四内部電極の前記引出部に接続される電極部分と、前記第二主面に配置され且つ前記第二側面側から前記第一側面側に向かって延びる電極部分と、を有していることを特徴とする積層コンデンサ。
【請求項６】
前記第一端子電極と前記第二又は第三端子電極との、前記第一主面に配置された前記電極部分同士は、前記第一主面において前記長手方向に並んで位置して、隣り合っていることを特徴とする請求項４又は５に記載の積層コンデンサ。
【請求項７】
それぞれ複数の前記第一〜第四端子電極を備え、
前記複数の第一端子電極の前記第一側面に配置される前記電極部分と前記複数の第二端子電極の前記第一側面に配置される前記電極部分とは、前記長手方向に交互に位置し、
前記複数の第三端子電極の前記第二側面に配置される前記電極部分と前記複数の第四端子電極の前記第二側面に配置される前記電極部分とは、前記長手方向に交互に位置し、
前記複数の第一内部電極は、前記複数の第一端子電極の前記第一側面に配置される前記電極部分に対応した複数の前記第一引出部と、前記複数の第三端子電極の前記第二側面に配置される前記電極部分に対応した複数の前記第二引出部と、を有し、
前記複数の第二内部電極は、前記複数の第二端子電極の前記第一側面に配置される前記電極部分に対応した複数の前記第三引出部と、前記複数の第四端子電極の前記第二側面に配置される前記電極部分に対応した複数の前記第四引出部と、を有していることを特徴とする請求項４に記載の積層コンデンサ。
【請求項８】
それぞれ複数の前記第一〜第四端子電極と、
それぞれ複数の前記第一及び第二内部電極と、
それぞれ複数の前記第三及び第四内部電極と、を備え、
前記複数の第一端子電極の前記第一側面に配置される前記電極部分と前記複数の第二端子電極の前記第一側面に配置される前記電極部分とは、前記長手方向に交互に位置し、
前記複数の第三端子電極の前記第二側面に配置される前記電極部分と前記複数の第四端子電極の前記第二側面に配置される前記電極部分とは、前記長手方向に交互に位置していることを特徴とする請求項５に記載の積層コンデンサ。
【発明の詳細な説明】
【技術分野】
【０００１】
本発明は、積層コンデンサに関する。
【背景技術】
【０００２】
積層コンデンサとして、長手方向の長さ及び幅方向の長さに比して高さ方向の長さが小さい略直方体形状を呈すると共に、上記高さ方向で互いに対向する一対の主面と、一対の主面を連結するように上記高さ方向に延び且つ上記幅方向で互いに対向する一対の側面と、一対の主面を連結するように上記高さ方向に延び且つ上記長手方向で互いに対向する一対の端面と、を有する素体と、上記高さ方向で互いに対向するように素体内に交互に配置された、それぞれ複数の第一及び第二内部電極と、素体の外表面に配置され、複数の第一内部電極と接続される複数の第一端子電極と、素体の外表面に配置され、複数の第二内部電極と接続される複数の第二端子電極と、を備え、複数の第一及び第二端子電極が、各側面において上記長手方向で交互に位置しているものが知られている（たとえば、特許文献１参照）。
【０００３】
特許文献１に記載された積層コンデンサでは、第一端子電極と第二端子電極とが、互いに異極性となるため、第一端子電極に対する電流の方向と第二端子電極に対する電流の方向とが逆方向となる。第一端子電極と第二端子電極とは、各側面において上記長手方向で交互に位置しているので、第一端子電極に対する電流による磁界と第二端子電極に対する電流による磁界とが相殺され、低ＥＳＬ（等価直列インダクタンス）化が図られている。
【先行技術文献】
【特許文献】
【０００４】
【特許文献１】特開２００２−２９９１５２号公報
【発明の概要】
【発明が解決しようとする課題】
【０００５】
近年、情報端末機器などの電子機器では、小型化及び薄型化が進んでいる。それに伴って、電子機器に搭載される基板や基板に搭載される電子部品においても、小型化が進んでおり、高密度実装化も進んでいる。更なる小型化を図るために、基板内に電子部品が埋め込まれている、電子部品内蔵基板も開発されてきている。電子部品内蔵基板では、基板の内部に電子部品が埋め込まれて実装されている。基板に形成された配線と埋め込まれている電子部品とは、確実に、電気的に接続される必要がある。しかしながら、特許文献１に記載された積層コンデンサでは、基板への埋め込み（基板への内蔵）、及び、基板に形成された配線との電気的な接続については考慮されていない。
【０００６】
本発明は、基板への内蔵が容易であり且つ低ＥＳＬ化が図られた積層コンデンサを提供することを目的とする。
【課題を解決するための手段】
【０００７】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に交互に配置された、それぞれ複数の第一及び第二内部電極と、素体の外表面に配置され、複数の第一内部電極と接続される第一及び第三端子電極と、素体の外表面に配置され、複数の第二内部電極と接続される第二及び第四端子電極と、を備え、複数の第一内部電極は、第一主電極部と、第一主電極部から延びて第一側面に露出する第一引出部と、第一主電極部から延びて第二側面に露出する第二引出部と、を有し、複数の第二内部電極は、第一主電極部と上記高さ方向で対向する第二主電極部と、第二主電極部から延びて第一側面に露出する第三引出部と、第二主電極部から延びて第二側面に露出する第四引出部と、を有し、第一端子電極は、第一側面に配置され且つ複数の第一内部電極の第一引出部に接続される電極部分と、第一主面に配置され且つ第一側面側から第二側面側に向かって延びる電極部分と、を有し、第二端子電極は、第一側面に配置され且つ複数の第二内部電極の第三引出部に接続される電極部分と、第一主面に配置され且つ第一側面側から第二側面側に向かって延びる電極部分と、を有し、第三端子電極は、第二側面に配置され且つ複数の第一内部電極の第二引出部に接続される電極部分と、第一主面に配置され且つ第二側面側から第一側面側に向かって延びる電極部分と、を有し、第四端子電極は、第二側面に配置され且つ複数の第二内部電極の第四引出部に接続される電極部分と、第一主面に配置され且つ第二側面側から第一側面側に向かって延びる電極部分と、を有していることを特徴とする。
【０００８】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に配置された第一及び第二内部電極と、上記高さ方向で互いに対向するように素体内に配置された第三及び第四内部電極と、素体の外表面に配置され、第一内部電極と接続される第一端子電極と、素体の外表面に配置され、第二内部電極と接続される第二端子電極と、素体の外表面に配置され、第三内部電極と接続される第三端子電極と、素体の外表面に配置され、第四内部電極と接続される第四端子電極と、を備え、第一内部電極は、主電極部と、該主電極部から延びて第一側面に露出する引出部と、を有し、第二内部電極は、第一内部電極の主電極部と上記高さ方向で対向する主電極部と、該主電極部から延びて第一側面に露出する引出部と、を有し、第三内部電極は、上記高さ方向から見て第一及び第二内部電極の主電極部と重なるように位置する主電極部と、該主電極部から延びて第二側面に露出する引出部と、を有し、第四内部電極は、第三内部電極の主電極部と上記高さ方向で対向する主電極部と、該主電極部から延びて第二側面に露出する引出部と、を有し、第一端子電極は、第一側面に配置され且つ第一内部電極の引出部に接続される電極部分と、第一主面に配置され且つ第一側面側から第二側面側に向かって延びる電極部分と、を有し、第二端子電極は、第一側面に配置され且つ第二内部電極の引出部に接続される電極部分と、第一主面に配置され且つ第一側面側から第二側面側に向かって延びる電極部分と、を有し、第三端子電極は、第二側面に配置され且つ第三内部電極の引出部に接続される電極部分と、第一主面に配置され且つ第二側面側から第一側面側に向かって延びる電極部分と、を有し、第四端子電極は、第二側面に配置され且つ第四内部電極の引出部に接続される電極部分と、第一主面に配置され且つ第二側面側から第一側面側に向かって延びる電極部分と、を有していることを特徴とする。
【０００９】
本発明に係るいずれの積層コンデンサにおいても、互いに異極性となる第一端子電極と第二端子電極とは、第一側面に配置される電極部分を有するため、第一端子電極に対する電流による磁界と第二端子電極に対する電流による磁界とが相殺され、低ＥＳＬ化が図られる。互いに異極性となる第三端子電極と第四端子電極とは、第二側面に配置される電極部分を有するため、第三端子電極に対する電流による磁界と第四端子電極に対する電流による磁界とが相殺され、低ＥＳＬ化が図られる。
【００１０】
本発明のいずれにおいても、上記長手方向の長さ及び上記幅方向の長さに比して上記高さ方向の長さが小さく、低背化が図られている。第一〜第四端子電極は、素体の第一主面に配置された電極部分をそれぞれ有している。したがって、本発明に係るいずれの積層コンデンサも、素体の第一主面側において、基板に形成された配線と電気的に接続可能となり、容易に基板へ内蔵することができる。
【００１１】
第一及び第四端子電極の、第一主面に配置された電極部分は、第一主面において上記長手方向に並んで位置し、第二及び第三端子電極の、第一主面に配置された電極部分は、第一主面において上記長手方向に並んで位置し、第一又は第四端子電極と第二端子電極との、第一主面に配置された電極部分同士は、上記長手方向で隣り合っていてもよい。この場合、第一又は第四端子電極の第一主面に配置された電極部分を流れる電流による磁界と、第二端子電極の第一主面に配置された電極部分を流れる電流による磁界と、が相殺され易く、ＥＳＬを更に低減することが可能である。
【００１２】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に交互に配置された、それぞれ複数の第一及び第二内部電極と、素体の外表面に配置され、複数の第一内部電極と接続される第一及び第三端子電極と、素体の外表面に配置され、複数の第二内部電極と接続される第二及び第四端子電極と、を備え、複数の第一内部電極は、第一主電極部と、第一主電極部から延びて第一側面に露出する第一引出部と、第一主電極部から延びて第二側面に露出する第二引出部と、を有し、複数の第二内部電極は、第一主電極部と上記高さ方向で対向する第二主電極部と、第二主電極部から延びて第一側面に露出する第三引出部と、第二主電極部から延びて第二側面に露出する第四引出部と、を有し、第一端子電極は、第一側面に配置され且つ複数の第一内部電極の第一引出部に接続される電極部分と、第一主面に配置され且つ第一側面側から第二側面側に向かって延びる電極部分と、を有し、第二端子電極は、第一側面に配置され且つ複数の第二内部電極の第三引出部に接続される電極部分と、第一又は第二主面に配置され且つ第一側面側から第二側面側に向かって延びる電極部分と、を有し、第三端子電極は、第二側面に配置され且つ複数の第一内部電極の第二引出部に接続される電極部分と、第一及び第二主面のうち第二端子電極が配置されていない主面に配置され且つ第二側面側から第一側面側に向かって延びる電極部分と、を有し、第四端子電極は、第二側面に配置され且つ複数の第二内部電極の第四引出部に接続される電極部分と、第二主面に配置され且つ第二側面側から第一側面側に向かって延びる電極部分と、を有していることを特徴とする。
【００１３】
本発明に係る積層コンデンサは、長手方向の長さ及び幅方向の長さに比して高さ方向の長さが小さい略直方体形状を呈すると共に、上記高さ方向で互いに対向する第一及び第二主面と、第一及び第二主面を連結するように上記高さ方向に延び且つ上記幅方向で互いに対向する第一及び第二側面と、第一及び第二主面を連結するように上記高さ方向に延び且つ上記長手方向で互いに対向する第三及び第四側面と、を有する素体と、上記高さ方向で互いに対向するように素体内に配置された第一及び第二内部電極と、上記高さ方向で互いに対向するように素体内に配置された第三及び第四内部電極と、素体の外表面に配置され、第一内部電極と接続される第一端子電極と、素体の外表面に配置され、第二内部電極と接続される第二端子電極と、素体の外表面に配置され、第三内部電極と接続される第三端子電極と、素体の外表面に配置され、第四内部電極と接続される第四端子電極と、を備え、第一内部電極は、主電極部と、該主電極部から延びて第一側面に露出する引出部と、を有し、第二内部電極は、第一内部電極の主電極部と上記高さ方向で対向する主電極部と、該主電極部から延びて第一側面に露出する引出部と、を有し、第三内部電極は、上記高さ方向から見て第一及び第二内部電極の主電極部と重なるように位置する主電極部と、該主電極部から延びて第二側面に露出する引出部と、を有し、第四内部電極は、第三内部電極の主電極部と上記高さ方向で対向する主電極部と、該主電極部から延びて第二側面に露出する引出部と、を有し、第一端子電極は、第一側面に配置され且つ第一内部電極の引出部に接続される電極部分と、第一主面に配置され且つ第一側面側から第二側面側に向かって延びる電極部分と、を有し、第二端子電極は、第一側面に配置され且つ第二内部電極の引出部に接続される電極部分と、第一又は第二主面に配置され且つ第一側面側から第二側面側に向かって延びる電極部分と、を有し、第三端子電極は、第二側面に配置され且つ第三内部電極の引出部に接続される電極部分と、第一及び第二主面のうち第二端子電極が配置されていない主面に配置され且つ第二側面側から第一側面側に向かって延びる電極部分と、を有し、第四端子電極は、第二側面に配置され且つ第四内部電極の引出部に接続される電極部分と、第二主面に配置され且つ第二側面側から第一側面側に向かって延びる電極部分と、を有していることを特徴とする。
【００１４】
本発明に係るいずれの積層コンデンサにおいても、互いに異極性となる第一端子電極と第二端子電極とは、第一側面に配置される電極部分を有するため、第一端子電極に対する電流による磁界と第二端子電極に対する電流による磁界とが相殺され、低ＥＳＬ化が図られる。互いに異極性となる第三端子電極と第四端子電極とは、第二側面に配置される電極部分を有するため、第三端子電極に対する電流による磁界と第四端子電極に対する電流による磁界とが相殺され、低ＥＳＬ化が図られる。
【００１５】
本発明のいずれにおいても、上記長手方向の長さ及び上記幅方向の長さに比して上記高さ方向の長さが小さく、低背化が図られている。第一端子電極は、素体の第一主面に配置された電極部分を有し、第四端子電極は、素体の第二主面に配置された電極部分を有している。第二端子電極は、素体の第一又は第二主面に配置された電極部分を有し、第三端子電極は、第一及び第二主面のうち第二端子電極が配置されていない主面に配置された電極部分を有している。したがって、本発明に係るいずれの積層コンデンサも、素体の第一及び第二主面側において、基板に形成された配線と電気的に接続可能となり、容易に基板へ内蔵することができる。
【００１６】
第一端子電極と第二又は第三端子電極との、第一主面に配置された電極部分同士は、第一主面において上記長手方向に並んで位置して、隣り合っていてもよい。この場合、第一端子電極の第一主面に配置された電極部分を流れる電流による磁界と、第二又は第三端子電極の第一主面に配置された電極部分を流れる電流による磁界と、が相殺され易く、ＥＳＬを更に低減することが可能である。第四端子電極の第二主面に配置された電極部分を流れる電流による磁界と、第二又は第三端子電極の第二主面に配置された電極部分を流れる電流による磁界と、が相殺され易く、ＥＳＬを更に低減することが可能である。
【００１７】
それぞれ複数の第一〜第四端子電極を備え、複数の第一端子電極の第一側面に配置される電極部分と複数の第二端子電極の第一側面に配置される電極部分とは、上記長手方向に交互に位置し、複数の第三端子電極の第二側面に配置される電極部分と複数の第四端子電極の第二側面に配置される電極部分とは、上記長手方向に交互に位置し、複数の第一内部電極は、複数の第一端子電極の第一側面に配置される電極部分に対応した複数の第一引出部と、複数の第三端子電極の第二側面に配置される電極部分に対応した複数の第二引出部と、を有し、複数の第二内部電極は、複数の第二端子電極の第一側面に配置される電極部分に対応した複数の第三引出部と、複数の第四端子電極の第二側面に配置される電極部分に対応した複数の第四引出部と、を有していてもよい。
【００１８】
それぞれ複数の第一〜第四端子電極と、それぞれ複数の第一及び第二内部電極と、それぞれ複数の第三及び第四内部電極と、を備え、複数の第一端子電極の第一側面に配置される電極部分と複数の第二端子電極の第一側面に配置される電極部分とは、上記長手方向に交互に位置し、複数の第三端子電極の第二側面に配置される電極部分と複数の第四端子電極の第二側面に配置される電極部分とは、上記長手方向に交互に位置していてもよい。
【００１９】
いずれの場合においても、それぞれ複数の第一端子電極と第二端子電極とが有する、第一側面において配置される電極部分は、長手方向に交互に位置するため、上述したように、低ＥＳＬ化が図られる。それぞれ複数の第三端子電極と第四端子電極とが有する、第二側面において配置される電極部分は、長手方向に交互に位置するため、上述したように、低ＥＳＬ化が図られる。
【発明の効果】
【００２０】
本発明によれば、基板への内蔵が容易であり且つ低ＥＳＬ化が図られた積層コンデンサを提供することができる。
【図面の簡単な説明】
【００２１】
【図１】本発明の実施形態に係る積層貫通コンデンサを示す斜視図である。
【図２】図１におけるII−II線に沿った断面構成を説明するための図である。
【図３】本実施形態に係る積層コンデンサの、第一及び第四端子電極を含む断面構成を説明するための図である。
【図４】本実施形態に係る積層コンデンサの、第二及び第三端子電極を含む断面構成を説明するための図である。
【図５】第一及び第二内部電極を示す平面図である。
【図６】本実施形態に係る積層コンデンサの実装構造を説明するための図である。
【図７】第一〜第四端子電極における電流の向きを説明するための模式図である。
【図８】本実施形態の変形例に係る積層コンデンサを示す斜視図である。
【図９】第一〜第四端子電極における電流の向きを説明するための模式図である。
【図１０】本実施形態の変形例に係る積層コンデンサを示す斜視図である。
【図１１】本実施形態の変形例に係る積層コンデンサを示す斜視図である。
【図１２】本実施形態の変形例に係る積層コンデンサの、第一及び第二端子電極を含む断面構成を説明するための図である。
【図１３】本実施形態の変形例に係る積層コンデンサの、第三及び第四端子電極を含む断面構成を説明するための図である。
【図１４】第一及び第二内部電極を示す平面図である。
【図１５】本実施形態の変形例に係る積層コンデンサを示す斜視図である。
【図１６】図１５におけるXVI−XVI線に沿った断面構成を説明するための図である。
【図１７】本実施形態の変形例に係る積層コンデンサの、第一及び第四端子電極を含む断面構成を説明するための図である。
【図１８】本実施形態の変形例に係る積層コンデンサの、第二及び第三端子電極を含む断面構成を説明するための図である。
【図１９】本実施形態の変形例に係る積層コンデンサの実装構造を説明するための図である。
【図２０】第一〜第四端子電極における電流の向きを説明するための模式図である。
【図２１】本実施形態の変形例に係る積層コンデンサを示す斜視図である。
【図２２】図２１におけるXXII−XXII線に沿った断面構成を説明するための図である。
【図２３】本実施形態の変形例に係る積層コンデンサの、第二及び第三端子電極を含む断面構成を説明するための図である。
【図２４】第一〜第四端子電極における電流の向きを説明するための模式図である。
【図２５】本実施形態の変形例に係る積層コンデンサを示す斜視図である。
【図２６】図２５におけるXXVI−XXVI線に沿った断面構成を説明するための図である。
【図２７】第一及び第二内部電極を示す平面図である。
【図２８】本実施形態の変形例に係る積層コンデンサの実装構造を説明するための図である。
【図２９】本実施形態の変形例に係る積層コンデンサを示す斜視図である。
【図３０】図２４におけるXXX−XXX線に沿った断面構成を説明するための図である。
【図３１】第一及び第二内部電極を示す平面図である。
【図３２】第一及び第二内部電極を示す平面図である。
【図３３】素体内での、第一及び第二内部電極の位置を示す分解斜視図である。
【図３４】素体内での、第一及び第二内部電極の位置を示す分解斜視図である。
【図３５】第一及び第二内部電極を示す平面図である。
【発明を実施するための形態】
【００２２】
以下、添付図面を参照して、本発明の好適な実施形態について詳細に説明する。なお、説明において、同一要素又は同一機能を有する要素には、同一符号を用いることとし、重複する説明は省略する。
【００２３】
図１〜図４を参照して、本実施形態に係る積層コンデンサＣ１の構成を説明する。図１は、本実施形態に係る積層コンデンサを示す斜視図である。図２は、図１におけるII−II線に沿った断面構成を説明するための図である。図３は、本実施形態に係る積層コンデンサの、第一及び第四端子電極を含む断面構成を説明するための図である。図４は、本実施形態に係る積層コンデンサの、第二及び第三端子電極を含む断面構成を説明するための図である。
【００２４】
積層コンデンサＣ１は、図１〜図４に示されるように、素体２と、素体２の外表面に配置される第一〜第四端子電極５，６，７，８と、を備えている。第一〜第四端子電極５，６，７，８は、それぞれ離間している。
【００２５】
素体２は、略直方体形状を呈している。素体２は、その外表面として、互いに対向する略長方形状の第一及び第二主面２ａ，２ｂと、互いに対向する第一及び第二側面２ｃ，２ｄと、互いに対向する第三及び第四側面２ｅ，２ｆと、を有している。素体２の長手方向は、第三側面２ｅと第四側面２ｆとの対向方向である。素体２の幅方向は、第一側面２ｃと第二側面２ｄとの対向方向である。素体２の高さ方向は、第一主面２ａと第二主面２ｂとの対向方向である。
【００２６】
素体２は、長手方向の長さ（Ｌ）と幅方向の長さ（Ｗ）とに比して、高さ方向の長さ（Ｈ）が小さく設定されている。長手方向の長さ（Ｌ）は、たとえば、０．４〜１．６ｍｍ程度に設定される。幅方向の長さ（Ｗ）は、たとえば、０．２〜０．８ｍｍ程度に設定される。高さ方向の長さ（Ｈ）は、たとえば、０．１〜０．３５ｍｍ程度に設定される。積層コンデンサＣ１は、超低背型の積層コンデンサである。
【００２７】
第一及び第二側面２ｃ，２ｄは、第一及び第二主面２ａ，２ｂの間を連結するように第一主面２ａと第二主面２ｂとの対向方向に延びている。第一及び第二側面２ｃ，２ｄは、第三側面２ｅと第四側面２ｆとの対向方向（第一及び第二主面２ａ，２ｂの長辺方向）にも延びている。第三及び第四側面２ｅ，２ｆは、第一及び第二主面２ａ，２ｂの間を連結するように第一主面２ａと第二主面２ｂとの対向方向に延びている。第三及び第四側面２ｅ，２ｆは、第一側面２ｃと第二側面２ｄとの対向方向（第一及び第二主面２ａ，２ｂの短辺方向）にも延びている。
【００２８】
素体２は、第一主面２ａと第二主面２ｂとの対向方向（素体２の高さ方向）に複数の誘電体層が積層されて構成されている。素体２では、複数の誘電体層の積層方向（以下、単に「積層方向」と称する。）が第一主面２ａと第二主面２ｂとの対向方向と一致する。各誘電体層は、例えば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の素体２では、各誘電体層は、各誘電体層の間の境界が視認できない程度に一体化されている。
【００２９】
積層コンデンサＣ１は、図２〜図４に示されるように、複数の内部電極として、複数の第一内部電極１１と、複数の第二内部電極１３と、を備えている。第一及び第二内部電極１１，１３は、積層型の電気素子の内部電極として通常用いられる導電性材料（たとえば、Ｎｉ又はＣｕなど）からなる。第一及び第二内部電極１１，１３は、上記導電性材料を含む導電性ペーストの焼結体として構成される。
【００３０】
第一内部電極１１と第二内部電極１３とは、素体２の高さ方向において異なる位置（層）に配置されている。すなわち、第一内部電極１１と第二内部電極１３とは、素体２内において、素体２の高さ方向に間隔を有して対向するように交互に配置されている。第一内部電極１１と第二内部電極１３とは、互いに極性が異なる。
【００３１】
各第一内部電極１１は、図５の（ａ）に示されるように、主電極部１１ａと、引出部１１ｂ，１１ｃと、を含んでいる。引出部１１ｂは、主電極部１１ａの一辺から延び、第一側面２ｃに露出している。引出部１１ｃは、主電極部１１ａの一辺から延び、第二側面２ｄに露出している。第一内部電極１１は、第一及び第二側面２ｃ，２ｄに露出し、第一及び第二主面２ａ，２ｂ、並びに、第三及び第四側面２ｅ，２ｆには露出していない。主電極部１１ａと、引出部１１ｂ，１１ｃとは、一体的に形成されている。
【００３２】
主電極部１１ａは、第三側面２ｅと第四側面２ｆとの対向方向を長辺方向とし、第一側面２ｃと第二側面２ｄとの対向方向を短辺方向とする矩形形状を呈している。引出部１１ｂは、主電極部１１ａの第一側面２ｃ側の端部における第三側面２ｅ寄りの位置から第一側面２ｃまで延びている。引出部１１ｂは、その端が第一側面２ｃに露出し、当該露出した端部で第一端子電極５に接続されている。引出部１１ｃは、主電極部１１ａの第二側面２ｄ側の端部における第四側面２ｆ寄りの位置から第二側面２ｄまで延びている。引出部１１ｃは、その端が第二側面２ｄに露出し、当該露出した端部で第三端子電極７に接続されている。
【００３３】
各第二内部電極１３は、図５の（ｂ）に示されるように、主電極部１３ａと、引出部１３ｂ，１３ｃと、を含んでいる。主電極部１３ａは、第一主面２ａと第二主面２ｂとの対向方向で、主電極部１１ａと対向している。引出部１３ｂは、主電極部１３ａの一辺から延び、第一側面２ｃに露出している。引出部１３ｃは、主電極部１３ａの一辺から延び、第二側面２ｄに露出している。第二内部電極１３は、第一及び第二側面２ｃ，２ｄに露出し、第一及び第二主面２ａ，２ｂ、並びに、第三及び第四側面２ｅ，２ｆには露出していない。主電極部１３ａと、引出部１３ｂ，１３ｃとは、一体的に形成されている。
【００３４】
主電極部１３ａは、第三側面２ｅと第四側面２ｆとの対向方向を長辺方向とし、第一側面２ｃと第二側面２ｄとの対向方向を短辺方向とする矩形形状を呈している。引出部１３ｂは、主電極部１１ａの第一側面２ｃ側の端部における第四側面２ｆ寄りの位置から第一側面２ｃまで延びている。引出部１３ｂは、その端が第一側面２ｃに露出し、当該露出した端部で第二端子電極６に接続されている。引出部１３ｃは、主電極部１１ａの第二側面２ｄ側の端部における第三側面２ｅ寄りの位置から第二側面２ｄまで延びている。引出部１３ｃは、その端が第二側面２ｄに露出し、当該露出した端部で第四端子電極８に接続されている。
【００３５】
第一端子電極５は、第一主面２ａに配置される電極部分５ａと、第一側面２ｃに配置される電極部分５ｂと、を有している。電極部分５ａと電極部分５ｂとは、素体２の稜線部分において接続されており、互いに電気的に接続されている。第一端子電極５は、第一主面２ａと第一側面２ｃとにわたって形成されている。
【００３６】
電極部分５ａは、平面視で、略矩形状を呈している。電極部分５ａは、第一主面２ａにおける、第一側面２ｃ寄りの端部側から第二側面２ｄ寄りの端部側に向けて延びるように形成されている。電極部分５ａの素体２の幅方向での長さは、素体２の幅方向での長さよりも小さく設定されている。
【００３７】
電極部分５ｂは、第一側面２ｃの、素体２の長手方向での中央よりも、第三側面２ｅ寄りに位置している。すなわち、電極部分５ｂは、第三側面２ｅ側に位置している。電極部分５ｂは、平面視で、略矩形状を呈している。電極部分５ｂは、各引出部１１ｂの第一側面２ｃに露出した部分をすべて覆うように配置されており、引出部１１ｂは、第一端子電極５に直接的に接続される。これにより、各第一内部電極１１は、第一端子電極５に電気的に接続される。電極部分５ａの素体２の長手方向での長さは、電極部分５ｂの素体２の長手方向での長さよりも小さく設定されている。
【００３８】
第二端子電極６は、第一主面２ａに配置される電極部分６ａと、第一側面２ｃに配置される電極部分６ｂと、を有している。電極部分６ａと電極部分６ｂとは、素体２の稜線部分において接続されており、互いに電気的に接続されている。第二端子電極６は、第一主面２ａと第一側面２ｃとにわたって形成されている。
【００３９】
電極部分６ａは、平面視で、略矩形状を呈している。電極部分６ａは、第一主面２ａにおける、第一側面２ｃ寄りの端部側から第二側面２ｄ寄りの端部側に向けて延びるように形成されている。電極部分６ａの素体２の幅方向での長さは、素体２の幅方向での長さよりも小さく設定されている。
【００４０】
電極部分６ｂは、第一側面２ｃの、素体２の長手方向での中央よりも、第四側面２ｆ寄りに位置している。すなわち、電極部分６ｂは、第四側面２ｆ側に位置している。電極部分６ｂは、平面視で、略矩形状を呈している。電極部分６ｂは、各引出部１３ｂの第一側面２ｃに露出した部分をすべて覆うように配置されており、引出部１３ｂは、第二端子電極６に直接的に接続される。これにより、各第二内部電極１３は、第二端子電極６に電気的に接続される。電極部分６ａの素体２の長手方向での長さは、電極部分６ｂの素体２の長手方向での長さよりも小さく設定されている。
【００４１】
第三端子電極７は、第一主面２ａに配置される電極部分７ａと、第二側面２ｄに配置される電極部分７ｂと、を有している。電極部分７ａと電極部分７ｂとは、素体２の稜線部分において接続されており、互いに電気的に接続されている。第三端子電極７は、第一主面２ａと第二側面２ｄとにわたって形成されている。
【００４２】
電極部分７ａは、平面視で、略矩形状を呈している。電極部分７ａは、第一主面２ａにおける、第二側面２ｄ寄りの端部側から第一側面２ｃ寄りの端部側に向けて延びるように形成されている。電極部分７ａの素体２の幅方向での長さは、素体２の幅方向での長さよりも小さく設定されている。
【００４３】
電極部分７ｂは、第一側面２ｃの、素体２の長手方向での中央よりも、第四側面２ｆ寄りに位置している。すなわち、電極部分７ｂは、第四側面２ｆ側に位置している。電極部分７ｂは、平面視で、略矩形状を呈している。電極部分７ｂは、各引出部１１ｃの第二側面２ｄに露出した部分をすべて覆うように配置されており、引出部１１ｃは、第三端子電極７に直接的に接続される。これにより、各第一内部電極１１は、第三端子電極７に電気的に接続される。電極部分７ａの素体２の長手方向での長さは、電極部分７ｂの素体２の長手方向での長さよりも小さく設定されている。
【００４４】
第四端子電極８は、第一主面２ａに配置される電極部分８ａと、第二側面２ｄに配置される電極部分８ｂと、を有している。電極部分８ａと電極部分８ｂとは、素体２の稜線部分において接続されており、互いに電気的に接続されている。第四端子電極８は、第一主面２ａと第二側面２ｄとにわたって形成されている。
【００４５】
電極部分８ａは、平面視で、略矩形状を呈している。電極部分８ａは、第一主面２ａにおける、第二側面２ｄ寄りの端部側から第一側面２ｃ寄りの端部側に向けて延びるように形成されている。電極部分８ａの素体２の幅方向での長さは、素体２の幅方向での長さよりも小さく設定されている。
【００４６】
電極部分８ｂは、第二側面２ｄの、素体２の長手方向での中央よりも、第三側面２ｅ寄りに位置している。すなわち、電極部分８ｂは、第三側面２ｅ側に位置している。電極部分８ｂは、平面視で、略矩形状を呈している。電極部分８ｂは、各引出部１３ｃの第二側面２ｄに露出した部分をすべて覆うように配置されており、引出部１３ｃは、第四端子電極８に直接的に接続される。これにより、各第二内部電極１３は、第四端子電極８に電気的に接続される。電極部分８ａの素体２の長手方向での長さは、電極部分８ｂの素体２の長手方向での長さよりも小さく設定されている。
【００４７】
電極部分５ａ〜８ａは、第一主面２ａにおいて、第三側面２ｅから第四側面２ｆに向かう方向で、電極部分５ａ、電極部分８ａ、電極部分６ａ、電極部分７ａの順で配置されている。すなわち、電極部分５ａ〜８ａは、第一主面２ａ上において、素体２の長手方向で並んで位置している。電極部分５ａが第三側面２ｅ寄りに位置し、電極部分７ａが第四側面２ｆ寄りに位置している。
【００４８】
電極部分５ａと電極部分８ａとは、第一主面２ａ上において、素体２の長手方向に並んで位置すると共に、素体２の長手方向から見て、互いに重なる領域を有している。電極部分８ａと電極部分６ａとは、第一主面２ａ上において、素体２の長手方向に並んで位置すると共に、素体２の長手方向から見て、互いに重なる領域を有している。電極部分６ａと電極部分７ａとも、第一主面２ａ上において、素体２の長手方向に並んで位置すると共に、素体２の長手方向から見て、互いに重なる領域を有している。
【００４９】
電極部分５ｂと電極部分６ｂとは、素体２の長手方向で隣り合っている。電極部分７ｂと電極部分８ｂとは、素体２の長手方向で隣り合っている。
【００５０】
素体２の第二主面２ｂ、第三側面２ｅ、及び第四側面２ｆには、端子電極５〜８は配置されていない。このため、素体２の第二主面２ｂ、第三側面２ｅ、及び第四側面２ｆは、露出している。
【００５１】
第一〜第四端子電極５〜８は、第一電極層２１と第二電極層２３とをそれぞれ含んでいる。すなわち、電極部分５ａ，５ｂと電極部分６ａ，６ｂと電極部分７ａ，７ｂと電極部分８ａ，８ｂとが、第一電極層２１と第二電極層２３とをそれぞれ含んでいる。
【００５２】
第一電極層２１は、導電性ペーストを素体２の表面に付与して焼き付けることにより形成されている。すなわち、第一電極層２１は、焼付電極層である。導電性ペーストには、金属（たとえば、Ｃｕ、Ｎｉ、Ａｇ、又はＰｄなど）からなる粉末に、ガラス成分、有機バインダ、及び有機溶剤を混合したものが用いられている。
【００５３】
第二電極層２３は、第一電極層２１上にめっき法により形成されている。本実施形態において、第二電極層２３は、第一電極層２１上にＮｉめっきにより形成されたＮｉめっき層と、当該Ｎｉめっき層上にＳｎめっきにより形成されたＳｎめっき層とを含んでいる。第二電極層２３は、第一電極層２１上にＣｕめっきにより形成されたＣｕめっき層であってもよい。第二電極層２３は、省略してもよい。
【００５４】
以上のように、本実施形態では、互いに異極性となる第一端子電極５と第二端子電極６とは、第一側面２ｃに配置される電極部分５ｂ，６ｂを有するため、第一端子電極５に対する電流による磁界と第二端子電極６に対する電流による磁界とが相殺される。互いに異極性となる第三端子電極７と第四端子電極８とは、第二側面２ｄに配置される電極部分７ｂ，８ｂを有するため、第三端子電極７に対する電流による磁界と第四端子電極８に対する電流による磁界とが相殺される。したがって、積層コンデンサＣ１では、上記磁界の相殺により、低ＥＳＬ化が図られる。
【００５５】
本実施形態では、素体２における、長手方向の長さ及び幅方向の長さに比して高さ方向の長さが小さく設定されており、積層コンデンサＣ１の低背化が図られている。第一〜第四端子電極５〜８は、素体２の第一主面２ａに配置された電極部分５ａ〜８ａをそれぞれ有している。したがって、積層コンデンサＣ１は、素体２の第一主面２ａ側において、基板に形成された配線と電気的に接続可能となり、容易に基板へ内蔵することができる。
【００５６】
第一〜第四端子電極５〜８の、第一主面２ａに配置された電極部分５ａ〜８ａは、第一主面２ａにおいて、素体２の長手方向に並んで位置すると共に素体２の幅方向に延びているため、各電極部分５ａ〜８ａの面積を比較的大きく設定することができる。したがって、第一〜第四端子電極５〜８と基板の配線との接続性が向上する。
【００５７】
積層コンデンサＣ１では、素体２の第三及び第四側面２ｅ，２ｆが露出しており、これらの第三及び第四側面２ｅ，２ｆには、端子電極５〜８が配置されない。したがって、積層コンデンサＣ１の、素体２の長手方向での長さが増加することはない。素体２の第二主面２ｂが露出しており、この第二主面２ｂには、端子電極５〜８が配置されない。したがって、積層コンデンサＣ１の、素体２の高さ方向での長さが増加することはない。これらの結果、積層コンデンサＣ１の小型化及び低背化を容易に図ることができる。
【００５８】
積層コンデンサＣ１は、図６に示されるように、基板３１に埋め込まれて実装される。すなわち、積層コンデンサＣ１は、基板３１に内蔵される。図６は、本実施形態に係る積層コンデンサの実装構造を説明するための図である。
【００５９】
基板３１は、複数の絶縁層３３が積層されることにより構成されている。絶縁層３３は、セラミック又は樹脂などの絶縁性材料からなり、接着などにより互いに一体化されている。積層コンデンサＣ１は、基板３１に形成された収容部３１ａに配置されており、収容部３１ａに充填された樹脂３４により、基板３１に対して固定されている。これにより、積層コンデンサＣ１が、基板３１内に埋め込まれる。
【００６０】
積層コンデンサＣ１は、基板３１の表面に配置された電極３５〜３８と、ビア導体４５〜４８を通して、電気的に接続されている。すなわち、第一端子電極５は、ビア導体４５を通して電極３５と電気的に接続され、第二端子電極６は、ビア導体４６を通して電極３６と電気的に接続されている。第三端子電極７は、ビア導体４７を通して電極３７と電気的に接続され、第四端子電極８は、ビア導体４８を通して電極３８と電気的に接続されている。第一端子電極５の電極部分５ａは、ビア導体４５と接続されている。第二端子電極６の電極部分６ａは、ビア導体４６と接続されている。第三端子電極７の電極部分７ａは、ビア導体４７と接続されている。第四端子電極８の電極部分８ａは、ビア導体４８と接続されている。
【００６１】
各電極部分５ａ〜８ａは、上述したように、素体２の幅方向での長さが比較的大きく、各電極部分５ａ〜８ａの面積が大きく設定されている。このため、電極部分５ａ〜８ａとビア導体４５〜４８とを確実に接続することができる。
【００６２】
ビア導体４５〜４８は、基板３１に形成されたビアホール内に導電性金属（たとえば、Ｃｕなど）を無電解めっきなどにより成長させることにより、形成される。ビアホールは、レーザ加工などにより、基板３１の表面側から積層コンデンサＣ１の第一〜第四端子電極５〜８の電極部分５ａ〜８ａに達するように形成される。
【００６３】
積層コンデンサＣ１では、電極部分５ａ〜８ａは、焼付電極層としての第一電極層２１と、めっき層としての第二電極層２３と、を有している。したがって、ビアホールに形成されるビア導体４５〜４８と電極部分５ａ〜８ａとを確実に接続することができる。特に、ビア導体４５〜４８がめっきにより形成される場合、ビア導体４５〜４８と電極部分５ａ〜８ａとが、より一層確実に接続される。
【００６４】
積層コンデンサＣ１では、図７に示されるように、電極部分８ａを流れる電流と電極部分６ａを流れる電流とが互いに逆向きに流れる。この結果、電極部分８ａを流れる電流による磁界と、電極部分６ａを流れる電流による磁界と、が相殺され易く、ＥＳＬが更に低減される。図７中の矢印は、第一及び第三端子電極５，７を陽極とすると共に第二及び第四端子電極６，８を陰極とした場合における電流の向きを表す。第一及び第三端子電極５，７を陰極とすると共に第二及び第四端子電極６，８を陽極とした場合でも、ＥＳＬが更に低減される。
【００６５】
図７の（ａ）と（ｂ）とでは、電極部分５ａ〜８ａとビア導体４５〜４８との接続位置が異なる。図７の（ａ）では、電極部分５ａ〜８ａとビア導体４５〜４８との接続位置は、素体２の幅方向での略中央に設定されている。図７の（ｂ）では、電極部分５ａ，８ａとビア導体４５，４８との接続位置は、素体２の幅方向で第一側面２ｃ寄りに設定され、電極部分６ａ，７ａとビア導体４６，４７との接続位置は、素体２の幅方向で第二側面２ｄ寄りに設定されている。電極部分５ａとビア導体４５との接続位置は、電極部分８ａとビア導体４８との接続位置よりも、第一側面２ｃ寄りに設定されている。電極部分７ａとビア導体４７との接続位置は、電極部分６ａとビア導体４６との接続位置よりも、素体２の幅方向で第二側面２ｄ寄りに設定されている。
【００６６】
図７の（ｂ）に示された積層コンデンサＣ１では、図７の（ａ）に示された積層コンデンサＣ１に比して、電極部分８ａを流れる電流による磁界と電極部分６ａを流れる電流による磁界との相殺度合いが大きい。したがって、図７の（ｂ）に示された積層コンデンサＣ１は、図７の（ａ）に示された積層コンデンサＣ１に比して、ＥＳＬが低減される。
【００６７】
次に、図８を参照して、積層コンデンサＣ１の変形例の構成を説明する。図８は、本変形例に係る積層コンデンサを示す斜視図である。
【００６８】
本変形例では、電極部分５ａ〜８ａは、第一主面２ａにおいて、第三側面２ｅから第四側面２ｆに向かう方向で、電極部分８ａ、電極部分５ａ、電極部分６ａ、電極部分７ａの順で配置されている。すなわち、電極部分８ａが第三側面２ｅ寄りに位置し、電極部分７ａが第四側面２ｆ寄りに位置している。電極部分５ａと電極部分６ａとは、第一主面２ａ上において、素体２の長手方向に並んで位置すると共に、素体２の長手方向から見て、互いに重なる領域を有している。
【００６９】
本変形例の積層コンデンサＣ１では、図９に示されるように、電極部分５ａを流れる電流と電極部分６ａを流れる電流とが互いに逆向きに流れる。この結果、電極部分５ａを流れる電流による磁界と、電極部分６ａを流れる電流による磁界と、が相殺され易く、ＥＳＬが更に低減される。図９中の矢印は、第一及び第三端子電極５，７を陽極とすると共に第二及び第四端子電極６，８を陰極とした場合における電流の向きを表す。第一及び第三端子電極５，７を陰極とすると共に第二及び第四端子電極６，８を陽極とした場合でも、ＥＳＬが更に低減される。
【００７０】
図９の（ａ）と（ｂ）とでは、電極部分５ａ〜８ａとビア導体４５〜４８との接続位置が異なる。図９の（ａ）では、電極部分５ａ〜８ａとビア導体４５〜４８との接続位置は、素体２の幅方向での略中央に設定されている。図９の（ｂ）では、電極部分５ａ〜８ａとビア導体４５〜４８との接続位置は、素体２の幅方向で第二側面２ｄ寄りに設定されている。電極部分８ａとビア導体４５との接続位置は、電極部分５ａとビア導体４８との接続位置よりも、第二側面２ｄ寄りに設定されている。電極部分６ａとビア導体４７との接続位置は、電極部分７ａとビア導体４６との接続位置よりも、素体２の幅方向で第二側面２ｄ寄りに設定されている。
【００７１】
図９の（ｂ）に示された積層コンデンサＣ１では、図９の（ａ）に示された積層コンデンサＣ１に比して、電極部分８ａを流れる電流による磁界と電極部分６ａを流れる電流による磁界との相殺度合いが大きい。したがって、図９の（ｂ）に示された積層コンデンサＣ１は、図９の（ａ）に示された積層コンデンサＣ１に比して、ＥＳＬが低減される。
【００７２】
次に、図１０を参照して、積層コンデンサＣ１の更なる変形例の構成を説明する。図１０は、本変形例に係る積層コンデンサを示す斜視図である。
【００７３】
本変形例では、電極部分５ａ〜８ａは、素体２の長手方向での長さが、電極部分５ｂ〜８ｂの、素体２の長手方向での長さと同等に設定されている。各電極部分５ａ〜８ａは、第一主面２ａの四つの角部に対応する位置に、それぞれ配置されている。電極部分５ａは、素体２の長手方向において、電極部分６ａと隣り合って位置し、素体２の幅方向において、電極部分８ａと隣り合って位置している。電極部分７ａは、素体２の長手方向において、電極部分８ａと隣り合って位置し、素体２の幅方向において、電極部分６ａと隣り合って位置している。電極部分５ａと電極部分７ａとは、第一主面２ａの対角方向で見て隣り合っており、電極部分６ａと電極部分８ａとは、第一主面２ａの対角方向で見て隣り合っている。
【００７４】
本変形例では、各電極部分５ａ〜８ａが、第一主面２ａの四つの角部に対応する位置に、それぞれ配置されていると共に、素体２の長手方向での長さが比較的大きい。このため、各電極部分５ａ〜８ａの面積が大きく設定されることとなり、電極部分５ａ〜８ａとビア導体４５〜４８とを確実に接続することができる。
【００７５】
次に、図１１〜図１３を参照して、本実施形態の変形例に係る積層コンデンサＣ２の構成を説明する。図１１は、本実施形態の変形例に係る積層コンデンサを示す斜視図である。図１２は、本変形例に係る積層コンデンサの、第一及び第二端子電極を含む断面構成を説明するための図である。図１３は、本変形例に係る積層コンデンサの、第三及び第四端子電極を含む断面構成を説明するための図である。第一及び第四端子電極５，８を含む断面構成は図３に示された断面構成と同様であり、第二及び第三端子電極６，７を含む断面構成は図４に示された断面構成と同様であるため、それぞれの断面構成の図示を省略する。
【００７６】
積層コンデンサＣ２も、図１１〜図１３に示されるように、素体２と、第一〜第四端子電極５〜８と、それぞれ複数の第一及び第二内部電極１１，１３と、を備えている。
【００７７】
各第一内部電極１１は、図１４の（ａ）に示されるように、主電極部１１ａと、引出部１１ｂ〜１１ｅと、を含んでいる。引出部１１ｄは、主電極部１１ａの一辺から延び、第三側面２ｅに露出している。引出部１１ｅは、主電極部１１ａの一辺から延び、第四側面２ｆに露出している。第一内部電極１１は、第一〜第四側面２ｃ〜２ｆに露出し、第一及び第二主面２ａ，２ｂには露出していない。主電極部１１ａと、引出部１１ｂ〜１１ｅとは、一体的に形成されている。
【００７８】
引出部１１ｄは、主電極部１１ａの第三側面２ｅ側の端部における第一側面２ｃ寄りの位置から第三側面２ｅまで延びている。引出部１１ｄは、その端が第三側面２ｅに露出し、当該露出した端部で第一端子電極５に接続されている。引出部１１ｅは、主電極部１１ａの第四側面２ｆ側の端部における第二側面２ｄ寄りの位置から第四側面２ｆまで延びている。引出部１１ｅは、その端が第四側面２ｆに露出し、当該露出した端部で第三端子電極７に接続されている。
【００７９】
各第二内部電極１３は、図１４の（ｂ）に示されるように、主電極部１３ａと、引出部１３ｂ〜１３ｅと、を含んでいる。引出部１３ｄは、主電極部１３ａの一辺から延び、第四側面２ｆに露出している。引出部１３ｅは、主電極部１１ａの一辺から延び、第三側面２ｅに露出している。第二内部電極１３は、第一〜第四側面２ｃ〜２ｆに露出し、第一及び第二主面２ａ，２ｂには露出していない。主電極部１３ａと、引出部１３ｂ〜１３ｅとは、一体的に形成されている。
【００８０】
引出部１３ｄは、主電極部１１ａの第四側面２ｆ側の端部における第一側面２ｃ寄りの位置から第四側面２ｆまで延びている。引出部１３ｄは、その端が第四側面２ｆに露出し、当該露出した端部で第二端子電極６に接続されている。引出部１１ｅは、主電極部１１ａの第三側面２ｅ側の端部における第二側面２ｄ寄りの位置から第三側面２ｅまで延びている。引出部１３ｅは、その端が第三側面２ｅに露出し、当該露出した端部で第四端子電極８に接続されている。
【００８１】
第一端子電極５は、電極部分５ａと、電極部分５ｂと、第三側面２ｅに配置される電極部分５ｃと、を有している。電極部分５ｃは、電極部分５ａと電極部分５ｂとに、素体２の、対応する稜線部分において接続されており、互いに電気的に接続されている。第一端子電極５は、第一主面２ａと第一側面２ｃと第三側面２ｅとにわたって形成されている。電極部分５ｃは、各引出部１１ｄの第三側面２ｅに露出した部分をすべて覆うように配置されており、引出部１１ｄは、第一端子電極５に直接的に接続される。電極部分５ｃと電極部分５ａとは、素体２の幅方向での長さが同等に設定されている。
【００８２】
第二端子電極６は、電極部分６ａと、電極部分６ｂと、第四側面２ｆに配置される電極部分６ｃと、を有している。電極部分６ｃは、電極部分６ａと電極部分６ｂとに、素体２の、対応する稜線部分において接続されており、互いに電気的に接続されている。第二端子電極６は、第一主面２ａと第一側面２ｃと第四側面２ｆとにわたって形成されている。電極部分６ｃは、各引出部１３ｄの第四側面２ｆに露出した部分をすべて覆うように配置されており、引出部１３ｄは、第二端子電極６に直接的に接続される。電極部分６ｃと電極部分６ａとは、素体２の幅方向での長さが同等に設定されている。
【００８３】
第三端子電極７は、電極部分７ａと、電極部分７ｂと、第四側面２ｆに配置される電極部分７ｃと、を有している。電極部分７ｃは、電極部分７ａと電極部分７ｂとに、素体２の、対応する稜線部分において接続されており、互いに電気的に接続されている。第三端子電極７は、第一主面２ａと第二側面２ｄと第四側面２ｆとにわたって形成されている。電極部分７ｃは、各引出部１１ｅの第四側面２ｆに露出した部分をすべて覆うように配置されており、引出部１１ｅは、第三端子電極７に直接的に接続される。電極部分７ｃと電極部分７ａとは、素体２の幅方向での長さが同等に設定されている。
【００８４】
第四端子電極８は、電極部分８ａと、電極部分８ｂと、第三側面２ｅに配置される電極部分８ｃと、を有している。電極部分８ｃは、電極部分８ａと電極部分８ｂとに、素体２の、対応する稜線部分において接続されており、互いに電気的に接続されている。第四端子電極８は、第一主面２ａと第二側面２ｄと第三側面２ｅとにわたって形成されている。電極部分８ｃは、各引出部１３ｅの第三側面２ｅに露出した部分をすべて覆うように配置されており、引出部１３ｅは、第四端子電極８に直接的に接続される。電極部分８ｃと電極部分８ａとは、素体２の幅方向での長さが同等に設定されている。
【００８５】
以上のように、本変形例においても、積層コンデンサＣ１は、低ＥＳＬ化が図られると共に、素体２の第一主面２ａ側において、基板に形成された配線と電気的に接続可能となり、容易に基板へ内蔵することができる。
【００８６】
次に、図１５〜図１８を参照して、本実施形態の変形例に係る積層コンデンサＣ３の構成を説明する。図１５は、本変形例に係る積層コンデンサを示す斜視図である。図１６は、図１５におけるXVI−XVI線に沿った断面構成を説明するための図である。図１７は、本変形例に係る積層コンデンサの、第一及び第四端子電極を含む断面構成を説明するための図である。図１８は、本変形例に係る積層コンデンサの、第二及び第三端子電極を含む断面構成を説明するための図である。
【００８７】
積層コンデンサＣ３も、図１５〜図１８に示されるように、素体２と、第一〜第四端子電極５〜８と、それぞれ複数の第一及び第二内部電極１１，１３と、を備えている。
【００８８】
第一端子電極５は、第一主面２ａに配置される電極部分５ａと、第一側面２ｃに配置される電極部分５ｂと、を有している。電極部分５ａと電極部分５ｂとは、素体２の長手方向での長さが同等に設定されている。
【００８９】
第二端子電極６は、第二主面２ｂに配置される電極部分６ａと、第一側面２ｃに配置される電極部分６ｂと、を有している。電極部分６ａと電極部分６ｂとは、素体２の稜線部分において接続されており、互いに電気的に接続されている。第二端子電極６は、第二主面２ｂと第一側面２ｃとにわたって形成されている。電極部分６ａは、第二主面２ｂにおける、第一側面２ｃ寄りの端部側から第二側面２ｄ寄りの端部側に向けて延びるように形成されている。電極部分６ａと電極部分６ｂとは、素体２の長手方向での長さが同等に設定されている。
【００９０】
第三端子電極７は、第一主面２ａに配置される電極部分７ａと、第二側面２ｄに配置される電極部分７ｂと、を有している。電極部分７ａは、素体２を挟んで、電極部分６ａと対向している。すなわち、電極部分７ａと電極部分６ａとは、素体２の高さ方向から見て、互いに重なる領域を有している。電極部分７ａと電極部分７ｂとは、素体２の長手方向での長さが同等に設定されている。
【００９１】
第四端子電極８は、第二主面２ｂに配置される電極部分８ａと、第二側面２ｄに配置される電極部分８ｂと、を有している。電極部分８ａと電極部分８ｂとは、素体２の稜線部分において接続されており、互いに電気的に接続されている。第四端子電極８は、第二主面２ｂと第二側面２ｄとにわたって形成されている。電極部分８ａは、第二主面２ｂにおける、第二側面２ｄ寄りの端部側から第一側面２ｃ寄りの端部側に向けて延びるように形成されている。電極部分８ａは、素体２を挟んで、電極部分５ａと対向している。すなわち、電極部分８ａと電極部分５ａとは、素体２の高さ方向から見て、互いに重なる領域を有している。電極部分８ａと電極部分８ｂとは、素体２の長手方向での長さが同等に設定されている。
【００９２】
第一端子電極５の電極部分５ａと第三端子電極７の電極部分７ａとは、素体２の長手方向で離間している。第二端子電極６の電極部分６ａと第四端子電極８の電極部分８ａとは、素体２の長手方向で離間している。電極部分５ａと電極部分７ａとは、第一主面２ａ上において、素体２の長手方向で並んで位置している。電極部分５ａが第三側面２ｅ寄りに位置し、電極部分７ａが第四側面２ｆ寄りに位置している。電極部分６ａと電極部分８ａとは、第二主面２ｂ上において、素体２の長手方向で並んで位置している。電極部分６ａが第四側面２ｆ寄りに位置し、電極部分８ａが第三側面２ｅ寄りに位置している。
【００９３】
素体２の第三側面２ｅ及び第四側面２ｆには、端子電極５〜８は配置されていない。このため、素体２の第三側面２ｅ及び第四側面２ｆは、露出している。
【００９４】
以上のように、本変形例においても、互いに異極性となる第一端子電極５と第二端子電極６とは、第一側面２ｃに配置される電極部分５ｂ，６ｂを有し、互いに異極性となる第三端子電極７と第四端子電極８とは、第二側面２ｄに配置される電極部分７ｂ，８ｂを有する。したがって、積層コンデンサＣ３も、積層コンデンサＣ１と同様に、低ＥＳＬ化が図られる。
【００９５】
本変形例でも、素体２における、長手方向の長さ及び幅方向の長さに比して高さ方向の長さが小さく設定されており、積層コンデンサＣ３の低背化が図られている。第一端子電極５は、素体２の第一主面２ａに配置された電極部分５ａを有し、第二端子電極６は、素体２の第二主面２ｂに配置された電極部分６ａを有している。第三端子電極７は、素体２の第一主面２ａに配置された電極部分７ａを有し、第四端子電極８は、素体２の第二主面２ｂに配置された電極部分８ａを有している。したがって、積層コンデンサＣ３は、素体２の第一及び第二主面２ａ，２ｂ側において、基板に形成された配線と電気的に接続可能となり、容易に基板へ内蔵することができる。
【００９６】
第一端子電極５と第三端子電極７との、第一主面２ａに配置された電極部分５ａ，７ａは、第一主面２ａにおいて、素体２の長手方向に並んで位置すると共に素体２の幅方向に延びているため、各電極部分５ａ，７ａの面積を大きく設定することができる。このため、積層コンデンサＣ３では、第一主面２ａ側において、基板の配線との接続性が向上する。第二端子電極６と第四端子電極８との、第二主面２ｂに配置された電極部分６ａ，８ａは、第二主面２ｂにおいて、素体２の長手方向に並んで位置すると共に素体２の幅方向に延びているため、各電極部分６ａ，８ａの面積を大きく設定することができる。このため、積層コンデンサＣ３では、第二主面２ｂ側においても、基板の配線との接続性が向上する。
【００９７】
積層コンデンサＣ３では、素体２の第三及び第四側面２ｅ，２ｆが露出しており、これらの第三及び第四側面２ｅ，２ｆには、端子電極５〜８が配置されない。したがって、積層コンデンサＣ３の、素体２の長手方向での長さが増加することはない。この結果、積層コンデンサＣ３の小型化を容易に図ることができる。
【００９８】
積層コンデンサＣ３は、図１９に示されるように、基板３１に埋め込まれて実装される。すなわち、積層コンデンサＣ３は、基板３１に内蔵される。図１９は、本実施形態の変形例に係る積層コンデンサの実装構造を説明するための図である。
【００９９】
積層コンデンサＣ３は、基板３１に形成された収容部３１ａに配置されており、収容部３１ａに充填された樹脂３４により、基板３１に対して固定されている。これにより、積層コンデンサＣ３が、基板３１内に埋め込まれる。積層コンデンサＣ３は、基板３１の表面に配置された電極３５〜３８と、ビア導体４５〜４８を通して、電気的に接続されている。
【０１００】
第一端子電極５は、ビア導体４５を通して電極３５と電気的に接続され、第二端子電極６は、ビア導体４６を通して電極３７と電気的に接続されている。第三端子電極７は、ビア導体４７を通して電極３７と電気的に接続され、第四端子電極８は、ビア導体４８を通して電極３８と電気的に接続されている。第一端子電極５の電極部分５ａは、ビア導体４５と接続されている。第二端子電極６の電極部分６ａは、ビア導体４６と接続されている。第三端子電極７の電極部分７ａは、ビア導体４７と接続されている。第四端子電極８の電極部分８ａは、ビア導体４８と接続されている。
【０１０１】
各電極部分５ａ〜８ａは、上述したように、その面積が大きく設定されている。したがって、電極部分５ａ〜８ａとビア導体４５〜４８とを確実に接続することができる。
【０１０２】
積層コンデンサＣ３では、図２０に示されるように、電極部分５ａを流れる電流と電極部分７ａを流れる電流とが互いに逆向きに流れると共に、電極部分６ａを流れる電流と電極部分８ａを流れる電流とが互いに逆向きに流れる。この結果、電極部分５ａを流れる電流による磁界と、電極部分７ａを流れる電流による磁界と、が相殺され易く、且つ、電極部分６ａを流れる電流による磁界と、電極部分８ａを流れる電流による磁界と、が相殺され易く、ＥＳＬが更に低減される。図２０中の矢印は、第一及び第三端子電極５，７を陽極とすると共に第二及び第四端子電極６，８を陰極とした場合における電流の向きを表す。第一及び第三端子電極５，７を陰極とすると共に第二及び第四端子電極６，８を陽極とした場合でも、ＥＳＬが更に低減される。
【０１０３】
図２０の（ａ）及び（ｂ）と（ｃ）及び（ｄ）とでは、電極部分５ａ〜８ａとビア導体４５〜４８との接続位置が異なる。図２０の（ａ）及び（ｂ）では、電極部分５ａ〜８ａとビア導体４５〜４８との接続位置は、素体２の幅方向での略中央に設定されている。図２０の（ｃ）及び（ｄ）では、電極部分５ａ，６ａとビア導体４５，４６との接続位置は、素体２の幅方向で第二側面２ｄ寄りに設定され、電極部分７ａ，８ａとビア導体４７，４８との接続位置は、素体２の幅方向で第一側面２ｃ寄りに設定されている。
【０１０４】
図２０の（ｃ）及び（ｄ）に示された積層コンデンサＣ３では、図２０の（ａ）及び（ｂ）に示された積層コンデンサＣ３に比して、電極部分５ａを流れる電流による磁界と電極部分７ａを流れる電流による磁界との相殺度合いが大きいと共に、電極部分６ａを流れる電流による磁界と電極部分８ａを流れる電流による磁界との相殺度合いが大きい。したがって、図２０の（ｃ）及び（ｄ）に示された積層コンデンサＣ３は、図２０の（ａ）及び（ｂ）に示された積層コンデンサＣ３に比して、ＥＳＬが低減される。
【０１０５】
次に、図２１〜図２３を参照して、積層コンデンサＣ３の変形例の構成を説明する。図２１は、本変形例に係る積層コンデンサを示す斜視図である。図２２は、図２１におけるXXII−XXII線に沿った断面構成を説明するための図である。図２３は、本変形例に係る積層コンデンサの、第二及び第三端子電極を含む断面構成を説明するための図である。第一及び第四端子電極５，８を含む断面構成は、図１７に示された断面構成と同様であり、図示を省略する。
【０１０６】
本変形例では、第二端子電極６は、第一主面２ａに配置される電極部分６ａと、第一側面２ｃに配置される電極部分６ｂと、を有している。第三端子電極７は、第二主面２ｂに配置される電極部分７ａと、第二側面２ｄに配置される電極部分７ｂと、を有している。
【０１０７】
第一端子電極５の電極部分５ａと第二端子電極６の電極部分６ａとは、素体２の長手方向で離間している。第三端子電極７の電極部分７ａと第四端子電極８の電極部分８ａとは、素体２の長手方向で離間している。電極部分５ａと電極部分６ａとは、第一主面２ａ上において、素体２の長手方向で並んで位置している。電極部分５ａが第三側面２ｅ寄りに位置し、電極部分６ａが第四側面２ｆ寄りに位置している。電極部分７ａと電極部分８ａとは、第二主面２ｂ上において、素体２の長手方向で並んで位置している。電極部分８ａが第三側面２ｅ寄りに位置し、電極部分７ａが第四側面２ｆ寄りに位置している。
【０１０８】
本変形例の積層コンデンサＣ３では、図２４に示されるように、電極部分５ａを流れる電流と電極部分６ａを流れる電流とが互いに逆向きに流れると共に、電極部分７ａを流れる電流と電極部分８ａを流れる電流とが互いに逆向きに流れる。この結果、電極部分５ａを流れる電流による磁界と、電極部分６ａを流れる電流による磁界と、が相殺され易く、且つ、電極部分７ａを流れる電流による磁界と、電極部分８ａを流れる電流による磁界と、が相殺され易く、ＥＳＬが更に低減される。図２４中の矢印は、第一及び第三端子電極５，７を陽極とすると共に第二及び第四端子電極６，８を陰極とした場合における電流の向きを表す。第一及び第三端子電極５，７を陰極とすると共に第二及び第四端子電極６，８を陽極とした場合でも、ＥＳＬが更に低減される。
【０１０９】
図２４の（ａ）及び（ｂ）と（ｃ）及び（ｄ）とでは、電極部分５ａ〜８ａとビア導体４５〜４８との接続位置が異なる。図２４の（ａ）及び（ｂ）では、電極部分５ａ〜８ａとビア導体４５〜４８との接続位置は、素体２の幅方向での略中央に設定されている。図２４の（ｃ）及び（ｄ）では、電極部分５ａ，６ａとビア導体４５，４６との接続位置は、素体２の幅方向で第二側面２ｄ寄りに設定され、電極部分７ａ，８ａとビア導体４７，４８との接続位置は、素体２の幅方向で第一側面２ｃ寄りに設定されている。
【０１１０】
図２４の（ｃ）及び（ｄ）に示された積層コンデンサＣ３では、図２４の（ａ）及び（ｂ）に示された積層コンデンサＣ３に比して、電極部分５ａを流れる電流による磁界と電極部分６ａを流れる電流による磁界との相殺度合いが大きいと共に、電極部分７ａを流れる電流による磁界と電極部分８ａを流れる電流による磁界との相殺度合いが大きい。したがって、図２４の（ｃ）及び（ｄ）に示された積層コンデンサＣ３は、図２４の（ａ）及び（ｂ）に示された積層コンデンサＣ３に比して、ＥＳＬが低減される。
【０１１１】
次に、図２５及び図２６を参照して、本実施形態の変形例に係る積層コンデンサＣ４の構成を説明する。図２５は、本変形例に係る積層コンデンサを示す斜視図である。図２６は、図２５におけるXXVI−XXVI線に沿った断面構成を説明するための図である。第一及び第四端子電極５，８を含む断面構成は図１７に示された断面構成と同様であり、第二及び第三端子電極６，７を含む断面構成は図１８に示された断面構成と同様であるため、それぞれの断面構成の図示を省略する。
【０１１２】
積層コンデンサＣ４は、図２５及び図２６に示されるように、素体２と、それぞれ複数の第一〜第四端子電極５〜８と、それぞれ複数の第一及び第二内部電極１１，１３と、を備えている。本変形例では、積層コンデンサＣ４は、それぞれ二つの第一〜第四端子電極５〜８を備えている。
【０１１３】
各第一内部電極１１は、図２７の（ａ）に示されるように、主電極部１１ａと、複数の引出部１１ｂと、複数の引出部１１ｃと、を含んでいる。第一内部電極１１は、複数の第一端子電極５（電極部分５ｂ）に対応して、第一端子電極５と同数の引出部１１ｂと、複数の第三端子電極７（電極部分７ｂ）に対応して、第三端子電極７と同数の引出部１１ｃと、を含んでいる。したがって、本変形例では、第一内部電極１１は、それぞれ二つの引出部１１ｂ，１１ｃを含んでいる。各引出部１１ｂは、主電極部１１ａの一辺から延び、第一側面２ｃに露出している。各引出部１１ｃは、主電極部１１ａの一辺から延び、第二側面２ｄに露出している。二つの引出部１１ｂは、素体２の長手方向で離れて位置している。二つの引出部１１ｃも、素体２の長手方向で離れて位置している。
【０１１４】
各第二内部電極１３は、図２７の（ｂ）に示されるように、主電極部１３ａと、複数の引出部１３ｂと、複数の引出部１３ｃと、を含んでいる。第二内部電極１３は、複数の第二端子電極６（電極部分６ｂ）に対応して、第二端子電極６と同数の引出部１３ｂと、複数の第四端子電極８（電極部分８ｂ）に対応して、第四端子電極８と同数の引出部１３ｃと、を含んでいる。したがって、本変形例では、第二内部電極１３は、それぞれ二つの引出部１３ｂ，１３ｃを含んでいる。各引出部１３ｂは、主電極部１３ａの一辺から延び、第一側面２ｃに露出している。各引出部１３ｃは、主電極部１３ａの一辺から延び、第二側面２ｄに露出している。二つの引出部１３ｂは、素体２の長手方向で離れて位置している。二つの引出部１３ｃも、素体２の長手方向で離れて位置している。
【０１１５】
第一端子電極５の電極部分５ｂと第二端子電極６の電極部分６ｂとは、第一側面２ｃにおいて、素体２の長手方向で交互に位置している。すなわち、電極部分５ｂ，６ｂとは、第一側面２ｃにおいて、第三側面２ｅから第四側面２ｆに向かう方向で、電極部分５ｂ、電極部分６ｂ、電極部分５ｂ、電極部分６ｂの順で位置している。第三端子電極７の電極部分７ｂと第四端子電極８の電極部分８ｂとは、第二側面２ｄにおいて、素体２の長手方向で交互に位置している。すなわち、電極部分７ｂ，８ｂとは、第二側面２ｄにおいて、第三側面２ｅから第四側面２ｆに向かう方向で、電極部分８ｂ、電極部分７ｂ、電極部分８ｂ、電極部分７ｂの順で位置している。
【０１１６】
本変形例では、それぞれ複数の第一端子電極５と第二端子電極６とが有する電極部分５ｂ，６ｂは、第一側面２ｃにおいて、素体２の長手方向で交互に位置し、それぞれ複数の第三端子電極７と第四端子電極８とが有する電極部分７ｂ，８ｂは、第二側面２ｄにおいて、素体２の長手方向で交互に位置している。したがって、積層コンデンサＣ４も、更なる低ＥＳＬ化が図られる。
【０１１７】
積層コンデンサＣ４は、低背化が図られていると共に、素体２の第一及び第二主面２ａ，２ｂ側において、基板に形成された配線と電気的に接続可能である。したがって、積層コンデンサＣ４は、容易に基板へ内蔵することができる。
【０１１８】
積層コンデンサＣ４は、図２８に示されるように、積層コンデンサＣ３と同様に、基板３１に埋め込まれて実装される。すなわち、積層コンデンサＣ４は、基板３１に内蔵される。図２３は、本実施形態の変形例に係る積層コンデンサの実装構造を説明するための図である。
【０１１９】
積層コンデンサＣ４は、基板３１に形成された収容部３１ａに配置されており、収容部３１ａに充填された樹脂３４により、基板３１に対して固定されている。これにより、積層コンデンサＣ４が、基板３１内に埋め込まれる。積層コンデンサＣ４は、基板３１の表面に配置された電極３５〜３８と、ビア導体４５〜４８を通して、電気的に接続されている。
【０１２０】
次に、図２９及び図３０を参照して、積層コンデンサＣ４の変形例の構成を説明する。図２９は、本変形例に係る積層コンデンサを示す斜視図である。図３０は、図２９におけるXXX−XXX線に沿った断面構成を説明するための図である。第一及び第四端子電極５，８を含む断面構成は図１５に示された断面構成と同様であり、第二及び第三端子電極６，７を含む断面構成は図２０に示された断面構成と同様であるため、それぞれの断面構成の図示を省略する。
【０１２１】
本変形例では、第一及び第二端子電極５，６の電極部分５ａ，６ａが第一主面２ａに配置され、第三及び第四端子電極７，８の電極部分７ａ，８ａが第二主面２ｂに配置されている。電極部分５ａ，６ａとは、第一主面２ａにおいて、第三側面２ｅから第四側面２ｆに向かう方向で、電極部分５ａ、電極部分６ａ、電極部分５ａ、電極部分６ａの順で位置している。電極部分７ａ，８ａとは、第二主面２ｂにおいて、第三側面２ｅから第四側面２ｆに向かう方向で、電極部分８ａ、電極部分７ａ、電極部分８ａ、電極部分７ａの順で位置している。
【０１２２】
以上、本発明の好適な実施形態について説明してきたが、本発明は必ずしも上述した実施形態に限定されるものではなく、その要旨を逸脱しない範囲で様々な変更が可能である。
【０１２３】
内部電極１１，１３の形状は、上述した実施形態及び変形例における形状に限られない。たとえば、積層コンデンサＣ１，Ｃ３，Ｃ４は、図３１の（ａ）及び（ｂ）並びに図３２の（ａ）〜（ｄ）に示されるように、引出部１１ｂを有する内部電極１１と、引出部１１ｃを有する内部電極１１と、を備えていてもよい。積層コンデンサＣ１，Ｃ３，Ｃ４は、図３１の（ｃ）及び（ｄ）並びに図３２の（ｅ）〜（ｈ）に示されるように、引出部１３ｂを有する内部電極１３と、引出部１３ｃを有する内部電極１３と、を備えていてもよい。
【０１２４】
引出部１１ｂを有する内部電極１１は、引出部１１ｃを有しておらず、第一端子電極５に接続され、第三端子電極７には接続されない。引出部１１ｃを有する内部電極１１は、引出部１１ｂを有しておらず、第三端子電極７に接続され、第一端子電極５には接続されない。引出部１３ｂを有する内部電極１３は、引出部１３ｃを有しておらず、第二端子電極６に接続され、第四端子電極８には接続されない。引出部１３ｃを有する内部電極１３は、引出部１３ｂを有しておらず、第四端子電極８に接続され、第二端子電極６には接続されない。
【０１２５】
引出部１１ｂを有する内部電極１１と、引出部１３ｂを有する内部電極１３と、が、素体２の高さ方向で隣り合って位置し、互いに対向している。引出部１１ｃを有する内部電極１１と、引出部１３ｃを有する内部電極１３と、が、素体２の高さ方向で隣り合って位置し、互いに対向している。たとえば、図３１に示された第一及び第二内部電極１１，１３は、図３３にも示されるように、素体２の高さ方向で、（ａ）に示された内部電極１１、（ｃ）に示された内部電極１３、（ｂ）に示された内部電極１１、（ｄ）に示された内部電極１３の順に素体２内に配置されている。図３２に示された内部電極１１，１３は、図３４にも示されるように、素体２の高さ方向で、（ａ）に示された内部電極１１、（ｅ）に示された内部電極１３、（ｃ）に示された内部電極１１、（ｇ）に示された内部電極１３、（ｄ）に示された内部電極１１、（ｈ）に示された内部電極１３、（ｂ）に示された内部電極１１、（ｆ）に示された内部電極１３の順に素体２内に配置されている。
【０１２６】
積層コンデンサＣ２は、図３５の（ａ）及び（ｂ）に示されるように、引出部１１ｂ，１１ｄを有する内部電極１１と、引出部１１ｃ，１１ｅを有する内部電極１１と、を備えていてもよい。積層コンデンサＣ２は、図３５の（ｃ）及び（ｄ）に示されるように、引出部１３ｂ，１３ｄを有する内部電極１３と、引出部１３ｃ，１３ｅを有する内部電極１３と、を備えていてもよい。
【０１２７】
引出部１１ｂ，１１ｄを有する内部電極１１は、引出部１１ｃ，１１ｅを有しておらず、第一端子電極５に接続され、第三端子電極７には接続されない。引出部１１ｃ，１１ｅを有する内部電極１１は、引出部１１ｂ，１１ｄを有しておらず、第三端子電極７に接続され、第一端子電極５には接続されない。引出部１３ｂ，１３ｄを有する内部電極１３は、引出部１３ｃ，１３ｅを有しておらず、第二端子電極６に接続され、第四端子電極８には接続されない。引出部１３ｃ，１３ｅを有する内部電極１３は、引出部１３ｂ，１３ｄを有しておらず、第四端子電極８に接続され、第二端子電極６には接続されない。
【０１２８】
引出部１１ｂ，１１ｄを有する内部電極１１と、引出部１３ｂ，１３ｄを有する内部電極１３と、が、素体２の高さ方向で隣り合って位置し、互いに対向している。引出部１１ｃ，１１ｅを有する内部電極１１と、引出部１３ｃ，１３ｅを有する内部電極１３と、が、素体２の高さ方向で隣り合って位置し、互いに対向している。たとえば、図３５に示された第一及び第二内部電極１１，１３は、素体２の高さ方向で、（ａ）に示された内部電極１１、（ｃ）に示された内部電極１３、（ｂ）に示された内部電極１１、（ｄ）に示された内部電極１３の順に素体２内に配置されている。
【０１２９】
図６では、積層コンデンサＣ１が基板３１に埋め込まれて実装されているが、積層コンデンサＣ２が基板３１に埋め込まれて実装されていてもよい。
【符号の説明】
【０１３０】
２…素体、２ａ…第一主面、２ｂ…第二主面、２ｃ…第一側面、２ｄ…第二側面、２ｅ…第三側面、２ｆ…第四側面、５…第一端子電極、５ａ〜５ｃ…電極部分、６…第二端子電極、６ａ〜６ｃ…電極部分、７…第三端子電極、７ａ〜７ｃ…電極部分、８…第四端子電極、８ａ〜８ｃ…電極部分、１１…第一内部電極、１１ａ…主電極部、１１ｂ〜１１ｅ…引出部、１３…第二内部電極、１３ａ…主電極部、１３ｂ〜１３ｅ…引出部、Ｃ１〜Ｃ４…積層コンデンサ。
【図１】
2014220378.tif 000003
【図２】
2014220378.tif 000004
【図３】
2014220378.tif 000005
【図４】
2014220378.tif 000006
【図５】
2014220378.tif 000007
【図６】
2014220378.tif 000008
【図７】
2014220378.tif 000009
【図８】
2014220378.tif 000010
【図９】
2014220378.tif 000011
【図１０】
2014220378.tif 000012
【図１１】
2014220378.tif 000013
【図１２】
2014220378.tif 000014
【図１３】
2014220378.tif 000015
【図１４】
2014220378.tif 000016
【図１５】
2014220378.tif 000017
【図１６】
2014220378.tif 000018
【図１７】
2014220378.tif 000019
【図１８】
2014220378.tif 000020
【図１９】
2014220378.tif 000021
【図２０】
2014220378.tif 000022
【図２１】
2014220378.tif 000023
【図２２】
2014220378.tif 000024
【図２３】
2014220378.tif 000025
【図２４】
2014220378.tif 000026
【図２５】
2014220378.tif 000027
【図２６】
2014220378.tif 000028
【図２７】
2014220378.tif 000029
【図２８】
2014220378.tif 000030
【図２９】
2014220378.tif 000031
【図３０】
2014220378.tif 000032
【図３１】
2014220378.tif 000033
【図３２】
2014220378.tif 000034
【図３３】
2014220378.tif 000035
【図３４】
2014220378.tif 000036
【図３５】
2014220378.tif 000037